(57)【要約】【課題】  生徒毎の卒業アルバム等の作成を、事業体１が学校３、４と提携し、生徒が主体となってこれを作成し、コストが廉価で、かつ興趣あるアルバム等の作成方法を提供する。【解決手段】  事業体１は、小、中、高校生徒の卒業アルバム等をデジタルカメラ１０等のＩＴ機器を活用して作成する企画書５を、教育委員会２又は学校４に提出し（Ｓ１）、教育委員会２又は学校４はこれを検討し（Ｓ２）、採用決定後、事業体１はＩＴ機器を搬入、設置し、生徒等はそれらの機器を使って学校行事の各種写真を撮影し（Ｓ７）、これをデジタルデータに変換してパソコンＰＣに取り込み（Ｓ８）、これを記録媒体２１に収録し保存・管理（Ｓ９）しておき、卒業する生徒毎に写真等を編集してプリントアウトし（Ｓ１１）、事業体１が製本して卒業アルバムの作成は終了する。【選択図】図４
2005316644.tif 000002
【特許請求の範囲】
【請求項１】
産学提携によるＩＴ機器を活用した、小学校、中学校及び高等学校における卒業アルバム等の作成方法であって、
事業体が、教育委員会又は学校に、ＩＴ機器活用による卒業アルバム等の作成を、書面等により企画・提案するステップと、
前記企画・提案についての詳細な内容を、教育委員会又は学校が検討するステップと、
前記教育委員会又は学校がその検討結果を、前記事業体に通知するステップと、
前記企画・提案の採用を、教育委員会又は学校が決定したときは、カリキュラムの作成を指示するステップと、
前記学校長の指示にしたがって、事業体が卒業アルバム等の作成に必要なＩＴ機器を、所定の学校内の施設に搬入し、それらの機器を設置するステップと、
前記事業体が学校長の要請により、その事業体の従業員等を学校に派遣し、教師、児童、生徒および学生に、卒業アルバム等の作成に必要なＩＴ機器の使用方法およびトラブル発生時の対処法等を説明するステップと、
前記教師、児童、生徒および学生又は事業体の従業員等が、学校、教師、児童、生徒および学生が所持する機器を使用して、学校における関連行事において、各種写真を撮影するステップと、
前記撮影された各種写真のデジタルデータおよびスキャニングデータを、年次毎に教師、児童、生徒および学生が、学校に設置されたパーソナルコンピュータに取り込むステップと、
前記デジタルデータおよびスキャニングデータを、事業体の従業員は、自己の事業体に、学校と接続されたコンピュータシステムとコンピュータネットワークを介して、これを送信して記録媒体に保存・管理するステップと、
前記教師、児童、生徒および学生が、デジタルデータおよびスキャニングデータに基づいて、個々の児童、生徒および学生毎に、卒業アルバム等に掲載する写真の編集とレイアウトおよび感想文等の書き込みを行うステップと、
前記編集とレイアウトされた写真および感想文等について、教師、児童、生徒および学生から監修、修正等の指導要請が事業体にあったとき、事業体はこれに協力してその作業を行った後、教師、児童、生徒および学生が、それらをプリントアウトするステップと、
前記プリントアウトされた写真を児童、生徒および学生が、卒業アルバム等に貼付し、事業体がこれの綴じ込み作業および表紙の装丁作業等を行うステップと、
完成された卒業アルバム等のデータを、学校および事業体の記録媒体に収録するステップと、
を備えることを特徴とする、卒業アルバム等の作成方法。
【請求項２】
前記事業体は、少なくともデジタルカメラ又はパーソナルコンピュータ等のＩＴ機器のメーカーないしディーラーあるいは、これらに関連する単独企業体又は複合企業体であることを特徴とする、請求項１記載の卒業アルバム等の作成方法。
【請求項３】
前記事業体が、教育委員会又は学校に企画・提案する書面には、少なくとも企画・提案の内容と目的、その特徴、教育効果、機器の内訳、見積り予算等が記載されていることを特徴とする、請求項１ないし請求項２記載の卒業アルバム等の作成方法。
【請求項４】
卒業アルバムには、各児童、生徒および学生の卒業年度、氏名等と共に、学校生活における個人写真、グループ写真、集合写真、学校校舎、体育館、教室その他の写真の他、貼付されている写真についての感想文および各児童、生徒、学生の学校生活の思い出、将来の夢等についての作文等も収録されていることを特徴とする、請求項１ないし請求項３記載の卒業アルバム等の作成方法。  
【請求項５】
前記各児童、生徒および学生は、在校中に撮像され、収集された個人写真、グループ写真又は集合写真の内から少なくとも、１〜複数枚の写真を選択し、自己の卒業アルバムに掲載されていることを特徴とする、請求項１ないし請求項４記載の卒業アルバム等の作成方法。  
【請求項６】
前記記録媒体が、ＣＤ−ＲＯＭ又はＤＶＤであることを特徴とする、請求項１ないし請求項５記載の卒業アルバム等の作成方法。  
【請求項７】
前記児童、生徒および学生が、事業体の協力によりＩＴ機器を使用して卒業アルバムの他、学校新聞、記念誌、研究発表会又は学級だより等を作成することを特徴とする、請求項１ないし請求項６記載の卒業アルバム等の作成方法。  
【発明の詳細な説明】
【技術分野】
【０００１】
本発明は、卒業アルバム等の作成方法に係り、さらに詳しくは、産学提携によるＩＴ機器を活用した、小、中学校及び高等学校における卒業アルバム等の作成方法に関する。
【背景技術】
【０００２】
近年、文部科学省より発表された新学習指導要領によれば、学校ごとに特色ある教育の推進が掲げられており、そのための試みが各地で進められている。
【０００３】
すでに、パーソナルコンピュータを導入している小学校、中学校および高等学校等もあるが、その活用は十分になされていないのが現状である。
【０００４】
従来、小、中学校及び高等学校においては、遠足、学芸会、運動会、修学旅行又はその他の学校行事には、フォトスタディオ等から派遣されたプロカメラマンがアナログカメラ、デジタルカメラ、ビデオカメラ等により児童、生徒および学生のスナップ写真等の個人写真や、グループ写真および記念写真としての集合写真等を撮像し、これらを年次ごとに収集しておいて、卒業前に収集された各種写真に基づいて、学校の教職員の指導のもとに事業体が卒業アルバムの編集を行い、業者に印刷および製本を依頼してこれを作成し、卒業式当日又は前日にその記念として納品している。  
【０００５】
しかし、上記の卒業アルバム作成方法では、写真の収集期間が長期に亘るために、その保管と整理が煩雑であるという課題があり、また従来の卒業アルバムは、卒業生の顔写真を除けば、大半が全ての卒業生に共通性がある写真が掲載されているので、卒業生の個々に興趣を与えるアルバムとなっていないばかりか、スナップ写真等の個人写真やグループ写真等については、一部の卒業生しか掲載されないために、不掲載の卒業生に不平、不満を招く結果となっている。
【０００６】
卒業生毎に構成内容が異なった卒業アルバムの作成方法およびアルバムの作成システムとして、特開２００２−４２１４５号公報が開示されているが、これは、卒業アルバムの作成を受託した受託事業者が卒業アルバムの作成を委託した学校より所定の期間にわたって提供される複数の画像に基づいて卒業アルバムを作成する。各学校は、通信端末装置により画像と個人識別情報とを対にしてコンピュータネットワークへ送信する。受託事業者は、コンピュータネットワークを介して送られてくる画像および個人識別情報をコンピュータシステムで受信し、画像と個人識別情報とを対応させてメモりに記憶させる。そして、アルバム製作時に、記憶させた画像をメモりより読み出して卒業生毎のアルバムを製作する構成となっている。
【特許文献１】特開２００２−４２１４５号公報
【発明の開示】
【発明が解決しようとする課題】
【０００７】
しかしながら上記、特許文献１においては、卒業生毎に構成内容が異なった卒業アルバムを作成するためには、アルバム作成を委託した学校には、各種の学校行事において、多数の生徒を撮像するための余剰の教職員がいないので、必然的に多数のプロカメラマンに依頼せざるを得ない。また撮像された各種写真の編集、レイアウト、プリントアウトおよび製本作業等は、全て受託事業者に任せることになるので、卒業アルバムの単価が高額となるために、卒業アルバムを購入しない卒業生が出てくる、という問題が起きる。
【０００８】
本発明は、上記の従来技術における諸課題を解決し、ＩＴ教育の一環として、ＩＴ機器事業体が学校と連携し、生徒が主体となって卒業アルバムを作成し、制作コストが廉価で興趣ある卒業生毎の卒業アルバム等の作成方法を提供することを目的としている。
【課題を解決するための手段】
【０００９】
請求項１に係る、卒業アルバム等の作成方法は、産学提携によるＩＴ機器を活用した、小学校、中学校及び高等学校における卒業アルバム等の作成方法であって、事業体が、教育委員会又は学校に、ＩＴ機器活用による卒業アルバム等の作成を、書面等により企画・提案するステップと、前記企画・提案についての詳細な内容を、教育委員会又は学校が検討するステップと、前記教育委員会又は学校がその検討結果を、前記事業体に通知するステップと、前記企画・提案の採用を、教育委員会又は学校が決定したときは、カリキュラムの作成を指示するステップと、前記学校長の指示にしたがって、事業体が卒業アルバム等の作成に必要なＩＴ機器を、所定の学校内の施設に搬入し、それらの機器を設置するステップと、前記事業体が学校長の要請により、その事業体の従業員等を学校に派遣し、教師、児童、生徒および学生に、卒業アルバム等の作成に必要なＩＴ機器の使用方法およびトラブル発生時の対処法等を説明するステップと、前記教師、児童、生徒および学生又は事業体の従業員等が、学校、教師、児童、生徒および学生が所持する機器を使用して、学校における関連行事において、各種写真を撮影するステップと、前記撮影された各種写真のデジタルデータおよびスキャニングデータを、年次毎に教師、児童、生徒および学生が、学校に設置されたパーソナルコンピュータに取り込むステップと、前記デジタルデータおよびスキャニングデータを、事業体の従業員は、自己の事業体に、学校と接続されたコンピュータシステムとコンピュータネットワークを介して、これを送信して記録媒体に保存・管理するステップと、前記教師、児童、生徒および学生が、デジタルデータおよびスキャニングデータに基づいて、個々の児童、生徒および学生毎に、卒業アルバム等に掲載する写真の編集とレイアウトおよび感想文等の書き込みを行うステップと、前記編集とレイアウトされた写真および感想文等について、教師、児童、生徒および学生から監修、修正等の指導要請が事業体にあったとき、事業体はこれに協力してその作業を行った後、教師、児童、生徒および学生が、それらをプリントアウトするステップと、前記プリントアウトされた写真を児童、生徒および学生が、卒業アルバム等に貼付し、事業体がこれの綴じ込み作業および表紙の装丁作業等を行うステップと、完成された卒業アルバム等のデータを、学校および事業体の記録媒体に収録するステップと、を備えることを特徴としている。
【００１０】
請求項２は、請求項１記載の卒業アルバム等の作成方法において、前記事業体は、少なくともデジタルカメラ又はパーソナルコンピュータ等のＩＴ機器のメーカーないしディーラーあるいは、これらに関連する単独企業体又は複合企業体であることを特徴としている。
【００１１】
請求項３は、請求項１ないし請求項２記載の卒業アルバム等の作成方法において、
前記事業体が、教育委員会又は学校に企画・提案する書面には、少なくとも企画・提案の内容と目的、その特徴、教育効果、機器の内訳、見積り予算等が記載されていることを特徴としている。
【００１２】
請求項４は、請求項１ないし請求項３記載の卒業アルバム等の作成方法において、卒業アルバムには、各児童、生徒および学生の卒業年度、氏名等と共に、学校生活における個人写真、グループ写真、集合写真、学校校舎、体育館、教室その他の写真の他、貼付されている写真についての感想文および各児童、生徒、学生の学校生活の思い出、将来の夢等についての作文等も収録されていることを特徴としている。
【００１３】
請求項５は、請求項１ないし請求項４記載の卒業アルバム等の作成方法において、前記各児童、生徒および学生は、在校中に撮像され、収集された個人写真、グループ写真又は集合写真の内から少なくとも、１〜複数枚の写真を選択し、自己の卒業アルバムに掲載されていることを特徴としている。
【００１４】
請求項６は、請求項１ないし請求項５記載の卒業アルバム等の作成方法において、
前記記録媒体が、ＣＤ−ＲＯＭ又はＤＶＤであることを特徴としている。
【００１５】
請求項７は、請求項１ないし請求項６記載の卒業アルバム等の作成方法において、前記児童、生徒および学生が、事業体の協力によりＩＴ機器を使用して卒業アルバムの他、学校新聞、記念誌、研究発表会又は学級だより等を作成することを特徴としている。
【発明の効果】
【００１６】
本発明に係る、卒業アルバム等の作成方法は、上記の構成になるから以下の効果を奏する。即ち、請求項１、 請求項６および請求項７の発明によれば、児童、生徒および学生と教師が主体となり、事業体がこれに協力し、デジタルカメラ又はパーソナルコンピュータ等のＩＴ機器を活用して卒業アルバム等を作成するので、学校はＩＴ教育実践の場となり、児童、生徒および学生には学ぶ意欲と楽しみを促進させ、教師には働きがいのある職場となり、保護者には頼りがいのある、活気ある学校となると共に、児童、生徒および学生は、ＩＴ機器に早くから馴染み親しむことにより、将来、技術者又は研究者としての素養が培われる。さらに学校関連行事において、撮影された各種写真のデジタルデータおよびスキャニングデータは、学校および事業体の記録媒体に年次ごとに保存・管理されるので、その保管場所等は少スペースですみ、また卒業アルバムの作成の他、学校新聞、記念誌、研究発表会又は学級だより等を作成するのに至便でありかつ、制作コストが安価となる。
【００１７】
請求項２の発明によれば、事業体は、少なくともデジタルカメラ又はパーソナルコンピュータ等のＩＴ機器のメーカーないしディーラーあるいは、これに関連する単独企業体又は複合企業体であるので、ＩＴ機器に精通したスタッフを学校に派遣し、そのスタッフは、卒業アルバム等の作成に使用する機器例えば、デジタルカメラ又はパーソナルコンピュータ等の部品名や使用方法等について、児童、生徒および学生に平易で解りやすい言葉で説明を行うことができ、また機器等の故障発生時には早急な対処が可能である。さらに事業体は、多量のＩＴ機器を販売又は貸与することになるので、定期的な保守料・技術指導料等の他、卒業アルバムの作成以外の記念誌、研究発表会等の受注が見込まれるので大幅な増収につながる可能性がでてくる。
【００１８】
請求項３の発明によれば、事業体が、教育委員会又は学校に企画・提案する書面には、少なくとも企画・提案の内容と目的、その特徴、教育効果、機器の内訳、見積り予算等が記載されているために、教育委員会又は学校は、企画・提案の具体的内容について詳細な検討と決定を迅速に行うことができる。
【００１９】
請求項４ないし請求項５の発明によれば、卒業アルバムには、各児童、生徒および学生の卒業年度、氏名等と共に、学校生活における個人写真、グループ写真、集合写真、学校校舎、体育館、教室その他の写真の他、貼付されている写真についての感想文および各児童、生徒、学生の学校生活の思い出、将来の夢等についての作文等も収録されまた、各児童、生徒および学生は、在校中に撮像され、収集された個人写真、グループ写真又は集合写真の内から少なくとも、１〜複数枚の写真を選択し、自己の卒業アルバムに掲載されるので、児童、生徒および学生個々の個性と興趣あふれるオリジナルな卒業アルバムが作成される。
【発明を実施するための最良の形態】
【００２０】
以下、本発明の実施の形態について説明する。図１は、本発明の一実施形態を示す概略説明ブロック図で、図２はその動作の流れを示すフローチャートで、図３は事業体が教育委員会又は学校に提出する企画書の内容の一部を示す平面図、図４は卒業アルバム作成についてのＩＴ機器関連の概略説明図である。
【００２１】
図１において、１は事業体で、デジタルカメラ又はデジタルビデオカメラ（以下、カメラという）等による写真撮影やパーソナルコンピュータ（以下、パソコンという）等のＩＴ機器関連メーカーないしディーラー例えば、フォトスタディオ等で、２は学校３を指導、監督する地方自治体の教育委員会で、４は学校で、５は事業体１が作成した企画書である。
【００２２】
図１および図２に示すように、事業体１は、小学校の高学年例えば４〜６年生の学童、中学生および高校生を対象とする、カメラおよびパソコン等のＩＴ機器を活用した卒業アルバム作成を提案する書面例えば、図３に示す企画書５を地方自治体の教育委員会２又は学校４に提出する（Ｓ１）。
【００２３】
企画書５の内容として少なくとも、企画・提案の内容と目的５ａ、特徴５ｂ、卒業アルバム等の作成による教育効果５ｃ、機器の内訳５ｄおよび費用の見積（予算）５ｅ等が記載されており、企画・提案の内容と目的５ａには、平成１４年４月より施行されている文部科学省の新学習指導要領に則り、学校ごとの特色ある教育推進策の一つとして、産学即ち産業界と学校が提携ないし協調して児童、生徒および学生（以下、生徒という）にＩＴ教育を実践し、生徒には学ぶ意欲と楽しみを促進させ、教師には働きがいのある職場となり、保護者には頼りがいのある、活気ある学校の創成を図るとの内容と目的が記載され、特徴５ｂの欄には、生徒が主体となりＩＴ機器を活用して卒業アルバムの作成の他、学校新聞、記念誌、研究発表会又は学級だより等を作成する内容が記載され、その教育効果５ｃの欄には、生徒がＩＴ機器に早くから馴染み親しむことにより、将来、技術者又は研究者としての素養が培われる内容が記載され、機器の内訳５ｄの欄には、ＩＴ機器の具体的な名称、機能、数量例えば、カメラ（３００万画素以上）２台、パソコンＷｉｎｄｏｗｓ（商標名）−２０００以上マッキントッシュ（商標名）であればｏｓ９．０以上１クラス分、プリンタ（Ａ３ノビ−Ａ３ワイド印刷可能なもの）１台、スキャナー２台等の具体的内容が記載され、費用の見積（予算）５ｅの欄には、上記機器の販売又はリース契約料の他、従来の卒業アルバム作成に要する代金と、今回提案する生徒が主体となって作成する卒業アルバム代金とを比較、明示した内容が記載されている。
【００２４】
企画書５を受け取った教育委員会２又は学校４は、その内容を詳細に検討し（Ｓ２）、問題がなければ企画・提案を採用する旨を事業体１に通知する（Ｓ３）。もし問題があるときは、事業体１の代表者又は担当者を教育委員会２又は学校４に招致し、その問題点の解消について協議し、解決を図る。
【００２５】
問題点が解消し企画・提案の採用を決定したら、教育委員会２は、所管の学校長にまたは学校４は、卒業アルバム作成に伴うカリキュラムの作成を指示し（Ｓ４）、事業体１は必要なＩＴ機器を所定の学校３、４内の施設に搬入、設置し（Ｓ５）、学校長の要請により事業体１は、ＩＴ機器に精通したスタッフ（従業員）を学校３、４に派遣し、生徒および教師に卒業アルバム等の作成に必要なＩＴ機器の使用方法およびトラブル発生時の対処法等を説明する（Ｓ６）。
【００２６】
つぎに、学校３、４の年間スケジュールに基づく関連行事例えば、入学式、春の遠足、校外学習、キャンプ、運動会（体育大会）、演芸会（文化祭）、秋の遠足、修学旅行等において、生徒、教師および学校３、４から要請された事業体１のカメラマン等は、事業体１から購入又は貸与されたカメラ又は生徒が保有するアナログカメラ、ビデオカメラ等により各種の写真を撮影し（Ｓ７）、その撮影された各種写真のデジタルデータおよびスキャニングデータを、図工又は理科等の時間に学校３、４内のパソコンに取り込み（Ｓ８）、取り込まれたデジタルデータおよびスキャニングデータは、事業体１のスタッフによりコンピュータネットワーク（インターネット）を介して事業体１のパソコンに送信され、ＣＤ−ＲＯＭ等の記録媒体に収録され保存・管理される（Ｓ９）。  
【００２７】
小学校の高学年例えば４〜６年、中学３年および高校３年の生徒は、記録媒体に収録され保存・管理されたデジタルデータおよびスキャニングデータに基づいて、個々の生徒毎に、卒業アルバム等に掲載する写真の編集とレイアウトおよび感想文等の書き込みを行う作業に入り（Ｓ１０）、編集とレイアウトされた写真および感想文等について、教師又は生徒から監修、修正等の指導要請が事業体１にあったとき、事業体１はこれに協力してその作業を行った後、教師および生徒が、それらをプリントアウトし（Ｓ１１）、プリントアウトされた編集ページを製本するか又は、事業体１がこれの綴じ込み作業および表紙の装丁作業等を行い（Ｓ１２）、完成された卒業アルバム等のデータを、学校３、４および事業体１のＣＤ−ＲＯＭ等の記録媒体に収録（Ｓ１３）して卒業アルバムの作成は終了する。
【００２８】
図４において、１０は事業体１が学校３、４に納入したデジタルカメラ、１１はデジタルビデオカメラであり、生徒、教師又はカメラマンにより撮影された画像は、学校３、４に設置されたパソコンＰＣに取り込まれ、モニター１２に表示され、またアナログカメラで撮影されたフィルム１３は、スキャナー１４によりスキャニングされてデジタルデータ化して、モニター１２に表示され、テンプレート１５等の画像処理装置により処理され、編集ソフト１６によって、マウス１７、キーボード１８で入力された生徒の氏名、制作年度、写真についてのコメント、および卒業作文等の文字等と共に読み込みと書き込みが行われ、収録装置１９を経てプリンタ２０により印刷される。
【００２９】
収録装置１９の画像データは、ＣＤ−ＲＯＭ等の記録媒体２１に保存・管理されると共に、事業体１のパソコンＰＣ’にインターネットＮを介して送信され、事業体１の記録媒体３０に保存・管理される。
【００３０】
事業体１のパソコンＰＣ’には、学校３、４からの要請により、生徒、教師が撮影された画像の処理等に即応できるように、スキャナー３１、マウス３２、キーボード３３、テンプレート３４、編集ソフト３５、収録装置３６、プリンタ３７等が備えられている。
【００３１】
プリンタ２０により印刷された編集ページは、事業体１の製本機等により表紙が装丁され、卒業アルバムの作成は終了する。
【００３２】
卒業アルバム以外の学校新聞、記念誌、研究発表会又は学級だより等を作成するときは、学校で保存・管理している記録媒体２１又は事業体１の記録媒体３０を活用して容易に作成することが可能となる。
【００３３】
なお、事業体１は、単独の企業体としてだけでなく、複数の企業体が連携して教育委員会２又は学校４に、卒業アルバム等の作成を企画・提案することもできるのは言うまでもない。
【産業上の利用可能性】
【００３４】
本発明に係る、卒業アルバムの作成方法は、ＩＴ機器を活用して小、中学校及び高等学校の卒業アルバム等の作成を、産学が提携して行うので、学校３、４はＩＴ教育を実践することにより、生徒には学ぶ意欲と楽しみを促進させ、教師には働きがいのある職場となり、保護者には頼りがいのある、活気ある学校となると共に、生徒たちはＩＴ機器に早くから馴染み親しむことにより、将来、技術者又は研究者としての素養が培われ、いっぽう事業体１は、多量のＩＴ機器を販売又は貸与することになり、定期的な保守料・技術指導料等の他、卒業アルバムの作成以外の記念誌、研究発表会等の受注が見込まれるので大幅な増収につながる可能性がでてくるので、フォトスタディオ等はもちろん、ＩＴ機器業界も活性化する、いわゆる一石二鳥の効果が予測される。。
【図面の簡単な説明】
【００３５】
【図１】本発明の一実施形態を示す概略説明ブロック図である。
【図２】同動作の流れを示すフローチャートである。
【図３】企画書の内容の一部を示す平面図である。
【図４】卒業アルバム作成についてのＩＴ機器関連の概略説明図である。
【符号の説明】
【００３６】
１                       事業体
２                       教育委員会
３                       学校
４                       学校
５                       企画書
ＰＣ                     学校のパソコン  
ＰＣ’                   事業体のパソコン
Ｎ                       インターネット
１０                     デジタルカメラ
１１                     デジタルビデオカメラ
１２                     モニター
１３                     フィルム
１４                     スキャナー
１５                     テンプレート
１６                     編集ソフト
１７                     マウス
１８                     キーボード
１９                     収録装置
２０                     プリンタ
２１                     記録媒体
３０                     記録媒体
３１                     スキャナー
３４                     テンプレート
３５                     編集ソフト
３２                     マウス
３３                     キーボード
３６                     収録装置
３７                     プリンタ
【図１】
2005316644.tif 000003
【図２】
2005316644.tif 000004
【図３】
2005316644.tif 000005
【図４】
2005316644.tif 000006